(57)【特許請求の範囲】
【請求項１】
内部にガスボンベを収容し、前記ガスボンベから供給されたガスを燃焼させ、熱を発生させる発熱部を備えた本体と、
内部に水を収容するように前記本体に装着される水筒と、
前記水筒の流入口と流出口との間に連結され、前記水筒に収容された水が循環されるようにする循環管とを含み、
前記循環管は、前記発熱部を経るように設けられ、内部で流動する水が加熱されるようにする金属材質の温水パイプを含み、
前記発熱部の周辺には放熱板が設けられ、前記発熱部の後方にはコーヒーポットが位置付けられるホルダー部が形成され、前記放熱板は前記ホルダー部と前記発熱部との間に、輻射熱が通過して前記コーヒーポットが加熱されるように切開された切開部を備えることを特徴とする、
携帯用ヒーター。
【請求項２】
前記循環管は、椅子のカバーシート又は座布団の内部を貫通するように設けられたことを特徴とする請求項１に記載の携帯用ヒーター。
【請求項３】
前記循環管のうち、前記水筒の流出口と前記温水パイプとの間に連結された部分は、水筒から前記温水パイプに向けて所定角度下方に傾くように設けられたことを特徴とする請求項１に記載の携帯用ヒーター。
【請求項４】
前記水筒は、蓋に空気排出孔を備えることを特徴とする請求項３に記載の携帯用ヒーター。
【請求項５】
前記水筒の内部には、前記流出口を介して水が流入されるのを防止するチェック弁が設けられたことを特徴とする請求項１に記載の携帯用ヒーター。
【請求項６】
前記チェック弁の上部には空気圧力排出孔が備えられ、前記空気圧力排出孔にはスポンジが挿入されることを特徴とする請求項５に記載の携帯用ヒーター。
【発明の詳細な説明】
【技術分野】
【０００１】
本発明は携帯用ヒーターに関するものであって、さらに詳しくは、野外で使用する椅子や座布団の内部に温水を循環させる循環管を設けるとともに、コーヒーポットの内部を加熱することができる温水ボイラー及びコーヒーポット兼用の携帯用ヒーターに関するものである。
【背景技術】
【０００２】
一般的に、携帯用ヒーターは、ブタンガスを原料として使用し、そのサイズが小型で携帯が便利な一方、狭い空間で使用可能であり、寒い冬にも野外で便利かつ安全に使用することができるように製作されたものである。このような理由で、携帯用ヒーターは、冬や気温の低い時期に野外で登山、釣りといったレジャー活動を楽しんだり、又は各種作業を行う場合、寒さを克服するために多く使用されている。
【０００３】
このような従来の携帯用ヒーターは、図１に示したように、底面には脚２が備えられ、上方部には取っ手３が備えられた本体１、及び四角函状ヒーター固定具５を介して本体１の前方下部に設けられたセラミックヒーター４を含む。
そしてセラミックヒーター４の周縁部には反射板６が設けられ、セラミックヒーター４の前方部には安全網７が設けられ、セラミックヒーター４の上方部と本体１の上面部には内部熱吐出口８が設けられ、セラミックヒーター４の下端中央部にはパイロットバーナー９とスパーカー１０が設けられる。
また、本体１の背面底部には携帯用ブタンガス容器が設けられる空間部（図示せず）が備えられ、本体１の上面又は一側面部には点消火、及びガス供給量調節レバー１３が設けられた構成を有している。
【０００４】
しかし、このような従来の携帯用ヒーターは、単に野外で寒さを克服するために熱を発散する機能のみしか有していないため、セラミックヒーター４の前方又は吐出口８の近くでのみ暖かさが感じられるだけであって、使用者の体全体に暖かさを与えることには至らなかった。
【０００５】
また、従来は、野外でコーヒー又は茶を飲むためには、別途加熱手段を備えなければならず、携帯用ヒーターから発生する熱を効果的に利用することができないという欠点があった。
【発明の概要】
【発明が解決しようとする課題】
【０００６】
本発明は上記のような実情を鑑みてなされたものであって、野外で使用する椅子や座布団の内部に温水を循環させる循環管を設けるとともに、コーヒーポットの内部を加熱することができる温水ボイラー及びコーヒーポット兼用の携帯用ヒーターを提供することを目的とする。
【課題を解決するための手段】
【０００７】
上記の目的を達成するための本発明の形態は、内部にガスボンベを収容し、前記ガスボンベから供給されたガスを燃焼させ、熱を発生させる発熱部を備えた本体と、内部に水を収容するように前記本体に装着される水筒と、前記水筒の流入口と流出口との間に連結され、前記水筒に収容された水が循環されるようにする循環管とを含み、前記循環管は前記発熱部を経るように設けられ、内部で流動する水が加熱されるようにする金属材質の温水パイプを含むことを特徴とする。
【０００８】
好ましくは、前記発熱部の周辺には放熱板が設けられ、前記発熱部の後方にはコーヒーポットが位置付けられるホルダー部が形成され、前記放熱板は前記ホルダー部と前記発熱部との間に、輻射熱が通過して前記コーヒーポットが加熱されるように切開された切開部を備えることを特徴とする。
【０００９】
好ましくは、前記循環管は、椅子のカバーシート又は座布団の内部を貫通するように設けられたことを特徴とする。
【００１０】
好ましくは、前記循環管のうち、前記水筒の流出口と前記温水パイプとの間に連結された部分は、水筒から前記温水パイプに向けて所定角度下方に傾くように設けられたことを特徴とする。
【００１１】
好ましくは、前記水筒は、上部に空気排出孔を備えることを特徴とする。
【００１２】
好ましくは、前記水筒の内部には、前記流出口を介して水が流入されるのを防止するチェック弁が設けられたことを特徴とする。
【００１３】
好ましくは、前記チェック弁の上部には空気圧力排出孔が備えられ、前記空気圧力排出孔にはスポンジが挿入されることを特徴とする。
【発明の効果】
【００１４】
本発明による温水ボイラー及びコーヒーポット兼用の携帯用ヒーターは、一つの熱源を用いて、野外で使用する椅子や座布団の内部に、温水が循環される循環管が通るようにして暖房を行うことができ、輻射熱を用いてコーヒーポットや容器を加熱することができる効果がある。
【図面の簡単な説明】
【００１５】
【図１】従来の携帯用ヒーターを示した斜視図である。
【図２】本発明に係る温水ボイラー及びコーヒーポット兼用の携帯用ヒーターを示した分解斜視図である。
【図３】本発明に係る温水ボイラー及びコーヒーポット兼用の携帯用ヒーターを他方から見た斜視図である。
【図４】本発明に係る温水ボイラー及びコーヒーポット兼用の携帯用ヒーターを示した平面図である。
【図５】本発明に係る温水ボイラー及びコーヒーポット兼用の携帯用ヒーターの使用例を示した例示図である。
【発明を実施するための形態】
【００１６】
以下、添付の図面を用いて、本発明に係る温水ボイラー及びコーヒーポット兼用の携帯用ヒーターの好ましい実施例を説明する。
なお、下記の本発明の説明において、本発明の構成要素を指す用語は各々の構成要素の機能を考慮して名づけたものであって、本発明の技術的構成要素を限定する意味で捉えてはいけない。
【００１７】
図２は本発明に係る温水ボイラー及びコーヒーポット兼用の携帯用ヒーターを示した分解斜視図であり、図３は本発明に係る温水ボイラー及びコーヒーポット兼用の携帯用ヒーターを他方から見た斜視図であり、図４は本発明に係る温水ボイラー及びコーヒーポット兼用の携帯用ヒーターを示した平面図であり、図５は本発明に係る温水ボイラー及びコーヒーポット兼用の携帯用ヒーターの使用例を示した例示図である。
【００１８】
図２乃至図５に示されたように、本発明に係る温水ボイラー及びコーヒーポット兼用の携帯用ヒーターは、本体１００、水筒２００、及び循環管３１０、３２０を含んでなる。
【００１９】
本体１００は、内部に発熱のための部品が収容される所定の空間を有し、底面には支え脚１１０が備えられ、上部には使用者が取付け可能な取っ手１２０が備えられる。取っ手１２０は回動可能なヒンジで結合されて、一定角度の回動が可能である。
【００２０】
そして、本体１００の後方下側には携帯用ガスボンベ１３０が挿入されるガスボンベ締結部１４０が備えられ、ガスボンベ締結部１４０の一側には本体１００の外側に露出するガスボンベ操作ノブ１８０が備えられる。
また、本体１００の前面には後方に湾入されて形成された空間が備えられ、この空間には、ガスボンベ締結部１４０に挿入されたガスボンベ１３０から供給されたガスを燃焼させて熱を発生させる発熱部１５０が備えられる。
そして、発熱部１５０の周辺には放熱板１６０が設けられ、発熱部１５０から発生される熱を本体１００の前方に放出させ、放熱板１６０の外側には使用者が発熱部１５０に接触して火傷を負うことを防止するための安全網１７０が設けられる。
【００２１】
内部に水を収容する水筒２００は本体１００の後方上部側に装着され、上面には水を投入する投入口２１０が備えられる。また、水筒２００の一側面には水筒２００内部の水が流出されるようにする流出口２２０、及び流出された水が循環されて水筒２００内部に流入されるようにする流入口２３０が備えられる。
【００２２】
循環管３１０、３２０は、水筒２００の流入口２３０と流出口２２０との間に連結され、水筒２００内部の水が流出口２２０から流出され、流入口２３０を通して再び水筒２００に流入されて循環されるようにする。
そして、この循環管３１０、３２０の一部は、熱が発生される発熱部１５０を貫通するように設けられる。すなわち、循環管は、発熱部１５０から発生する熱によって内部を流動する水を加熱する金属材質の温水パイプ３２０を含む。そして、温水パイプ３２０を除いた循環管の他の部分は、設置容易性のために、可撓性チューブ３１０を使用することが好ましい。
【００２３】
ここで、発熱部１５０の周辺に設けられた放熱板１６０は、水平板１６１と、水平板１６１の両側に位置した一対の側面板１６２と、後方板１６３とからなる。そして、放熱板１６０の水平板１６１上に発熱部１５０が設けられる。
【００２４】
具体的に、発熱部１５０は、ガスボンベ１３０に収容されたガスを供給するガス供給部（図示せず）、ガス供給部から供給されたガスに着火させる点火プラグ（図示せず）、及びガス供給部の上部に延び、燃焼されるガスの火炎によって加熱されながら発熱する発熱網１５１を含む。そして、前述した温水パイプ３２０は、発熱網１５１を貫通するように設けられ、発熱網１５１から熱の供給を受けて内部の水を加熱する。
【００２５】
よって、本発明による携帯用ヒーターは、発熱部１５０によって暖房をするとともに、水筒２００及び発熱部１５０を貫通して水筒２００の水を循環させる循環管３１０、３２０により、水筒２００内部の水を加熱して温水にすることができる。
【００２６】
好ましくは、発熱部１５０の後方と水筒２００との間にはコーヒーポット又は水を収容して加熱することができる金属材質の容器４１０が位置付けられるホルダー部４００が備えられる。このホルダー部４００は、コーヒーポット又は容器４１０が挿入されて固定されるように、下方に窪んだ凹部となっている。
【００２７】
また、発熱部１５０から発生した輻射熱が通過してホルダー部４００まで到達するように、ホルダー部４００と発熱部１５０との間の放熱板１６０は、所定サイズに切開された切開部１６５を備える。ここで、切開部１６５は、複数の通孔からなり、該通孔はおよそ２０パイ直径の円形となっている。
【００２８】
よって、発熱部１５０の発熱時に発熱部１５０から発生する輻射熱は、放熱板１６０の切開部１６５を通過してホルダー部４００に位置付けられたコーヒーポット又は容器４１０に伝達されるため、別途加熱機構を備えることなく、コーヒーポット又は容器４１０に収容された液体を加熱することができる。
【００２９】
また、図示しないが、温水を循環させる循環管３１０、３２０のうち、可撓性チューブ３１０は、野外用の簡易椅子５００のカバーシート又は座布団の内部をジグザグに貫通するように設けることができる。すなわち、温水が循環される循環管自体を暖房のための熱線として使用することができる。
【００３０】
一方、循環管のうち、水筒２００の流出口２２０と温水パイプ３２０との間に連結された部分、すなわち、可撓性チューブ３１０は、水筒２００から温水パイプ３２０に向けて所定角度（およそ３０〜４５度）下方に傾くように設けることが好ましい。
【００３１】
このような可撓性チューブ３１０の設置角度は、水筒２００内部に収容された水が温水パイプ３２０に向けて円滑に流出されるようにするとともに、温水パイプ３２０で温水が加熱されることにより発生する空気を可撓性チューブ３１０に向けて円滑に流出するためのものである。
【００３２】
さらに好ましくは、水筒２００の投入口２１０を開閉する蓋２６０には空気排出孔２７０が備えられる。この空気排出孔２７０は、水筒２００内部が真空となる現象を防止して、水筒２００及び循環管３１０、３２０を通して温水の円滑な循環がなされるようにする役割をする。
【００３３】
また、水筒２００及び循環管３１０、３２０の円滑な温水循環のために、水筒２００の流出口２２０及び流入口２３０の位置も同様に重要な役割をする。具体的に、流出口２２０は水筒２００の下部側面に備えられ、流入口２３０は水筒２００の上部側面に備えられることが好ましい。
【００３４】
このような水筒２００の流入口２３０及び流出口２２０の高さの差により初期の水供給が円滑に行われ、流入口２３０及び流出口２２０での逆流現象を防止することができる。
【００３５】
好ましくは、水筒２０の内部には流出口２２０側にチェック弁２５０が設けられる。このチェック弁２５０は、流出口２２０を介して温水パイプ３２０に流出される水が逆流することを確実に防止する。
【００３６】
また、チェック弁２５０の上部には空気圧力排出孔２４０が形成され、この空気圧力排出孔２４０にスポンジ２４１を嵌め込むことが好ましい。このような空気圧力排出孔２４０とスポンジ２４１によって、温水パイプ３２０で加熱された水の圧力が上昇し過ぎた場合でも、空気圧力排出孔２４０の水に濡れたスポンジの中から空気が水筒２００に排出され、圧力による爆発危険を防止する機能である。
【００３７】
このように本発明に係る温水ボイラー及びコーヒーポット兼用の携帯用ヒーターは、温水を循環させる循環管３１０、３２０を、野外用の簡易椅子５００のカバーシート又は座布団の内部にジグザグに設けて、循環管３１０、３２０自体を暖房のための熱線として使用することができる。すなわち、携帯用ヒーターが温水ボイラーの役割をすることができる。
【００３８】
また、発熱部１５０の後方に備えられたホルダー部４００にコーヒーポット又は取っ手４１０が備えられた容器４１０を挿入してコーヒーや水を沸かすことができ、本発明に係る携帯用ヒーターを加熱機構として使用することができる。
【００３９】
以上に述べた本発明の実施例は本発明の技術思想を例示的に示したものに過ぎなく、本発明の保護範囲は特許請求範囲によって解釈されなければならない。
また本発明の属する技術分野で通常の知識を有する者なら、本発明の本質的な特性から逸脱しない範囲内で多様な修正及び変形が可能であり、本発明と同等な範囲内にある全ての技術思想は本発明の権利範囲に含まれるものとして解釈されなければならない。
【図１】
0005797768.tif 000002
【図２】
0005797768.tif 000003
【図３】
0005797768.tif 000004
【図４】
0005797768.tif 000005
【図５】
0005797768.tif 000006